(57)【特許請求の範囲】
【請求項１】
不織布から構成される第１の不織布層を含み、防草機能を有する第１の防草シートと、
不織布から構成される第２の不織布層を含み、防草機能を有する第２の防草シートと、
シート状のベース部と、前記ベース部上に設けられ、前記第１の不織布層および前記第２の不織布層と着脱可能な面ファスナ部と、を含む連結シートと、を備え、
前記面ファスナ部は、
前記第１の不織布層に装着される第１領域と、
前記連結シートの厚さ方向に見て前記第１領域と隣り合って配置され、前記第２の不織布層に装着される第２領域と、を含み、
前記第１の防草シートと前記第１領域との装着力は、前記第２の防草シートと前記第２領域との装着力よりも小さい、防草シートの設置構造。
【請求項２】
不織布から構成される第１の不織布層を含み、防草機能を有する第１の防草シートと、
不織布から構成される第２の不織布層を含み、防草機能を有する第２の防草シートと、
シート状のベース部と、前記ベース部上に設けられ、前記第１の不織布層および前記第２の不織布層と着脱可能な面ファスナ部と、を含む連結シートと、を備え、
前記面ファスナ部は、
前記第１の不織布層に装着される第１領域と、
前記連結シートの厚さ方向に見て前記第１領域と隣り合って配置され、前記第２の不織布層に装着される第２領域と、を含み、
前記第１領域から前記第１の防草シートを第１の向きに脱離させる際の第１の力は、前記第１領域から前記第１の防草シートを前記第１の向きと異なる向きである第２の向きに脱離させる際の第２の力よりも大きい、防草シートの設置構造。
【請求項３】
前記面ファスナ部は、前記ベース部から突出する複数の第１の突起部と、複数の第２の突起部と、を含み、
前記第１の突起部は、前記ベース部から前記ベース部の厚さ方向に延びる第１の支持部と、前記第１の支持部に接続され、前記ベース部の厚さ方向に交差する方向に延びる第１の係合部と、を含み、
前記第２の突起部は、前記ベース部から前記ベース部の厚さ方向に延びる第２の支持部と、前記第２の支持部に接続され、前記ベース部の厚さ方向に交差する方向であって前記第１の係合部の延びる向きと異なる向きに延びる第２の係合部と、を含み、
前記複数の第１の突起部は、第１の方向に間隔をあけて並んで複数の列となるよう配置され、
前記複数の第２の突起部は、前記第１の方向に間隔をあけて並んで複数の列となるよう配置され、
前記複数の第１の突起部の列と前記複数の第２の突起部の列とは、前記第１の方向と交差する方向である第２の方向に一列ずつ間隔をあけて配置され、
前記複数の第１の突起部の列の数と、前記第２の突起部の列の数とは、異なる、請求項２に記載の防草シートの設置構造。
【請求項４】
前記連結シートの厚さ方向に見て、前記第１領域と前記第２領域とは隣接している、請求項１から請求項３のいずれか１項に記載の防草シートの設置構造。
【請求項５】
前記連結シートを防草する地面に固定する固定具をさらに備える、請求項１から請求項４のいずれか１項に記載の防草シートの設置構造。
【請求項６】
前記固定具は、前記連結シートに貫通させて前記地面に打ち込まれる杭を含み、
前記杭は、前記第１の防草シートおよび前記第２の防草シートのうちの少なくともいずれか一方によって覆われている、請求項５に記載の防草シートの設置構造。
【請求項７】
前記杭は、
棒状の第１の打ち込み部と、
棒状の第２の打ち込み部と、
前記第１の打ち込み部の一方側の端部と前記第２の打ち込み部の一方側の端部とを接続する接続部と、を含み、
前記第１の打ち込み部は、前記連結シートの厚さ方向に見て、前記第１領域が位置する領域に配置されており、
前記第２の打ち込み部は、前記連結シートの厚さ方向に見て、前記第２領域が位置する領域に配置されており、
前記接続部は、前記第１の防草シートおよび前記第２の防草シートによって覆われている、請求項６に記載の防草シートの設置構造。
【請求項８】
不織布から構成される第１の不織布層を含み、防草機能を有する第１の防草シートと、不織布から構成される第２の不織布層を含み、防草機能を有する第２の防草シートと、シート状のベース部と、前記ベース部上に設けられ、前記第１の不織布層および前記第２の不織布層と着脱可能な面ファスナ部と、を含む連結シートと、を備え、前記面ファスナ部は、前記第１の不織布層に装着される第１領域と、前記連結シートの厚さ方向に見て前記第１領域と隣り合って配置され、前記第２の不織布層に装着される第２領域と、を含み、前記第１の防草シートと前記第１領域との装着力は、前記第２の防草シートと前記第２領域との装着力よりも小さい防草シートの設置構造に用いられる防草シートの設置法方法であって、
前記第１領域および前記第２領域が露出するように、地面上に前記連結シートを配置する工程と、
前記連結シートを配置する工程の後に、前記第１領域に前記第１の不織布層を装着して前記連結シートに前記第１の防草シートを取り付ける工程と、
前記連結シートを配置する工程の後に、前記第２領域に前記第２の不織布層を装着して前記連結シートに前記第２の防草シートを取り付ける工程と、を含む、防草シートの設置方法。
【請求項９】
不織布から構成される第１の不織布層を含み、防草機能を有する第１の防草シートと、不織布から構成される第２の不織布層を含み、防草機能を有する第２の防草シートと、シート状のベース部と、前記ベース部上に設けられ、前記第１の不織布層および前記第２の不織布層と着脱可能な面ファスナ部と、を含む連結シートと、を備え、前記面ファスナ部は、前記第１の不織布層に装着される第１領域と、前記連結シートの厚さ方向に見て前記第１領域と隣り合って配置され、前記第２の不織布層に装着される第２領域と、を含み、前記第１領域から前記第１の防草シートを第１の向きに脱離させる際の第１の力は、前記第１領域から前記第１の防草シートを前記第１の向きと異なる向きである第２の向きに脱離させる際の第２の力よりも大きい防草シートの設置構造に用いられる防草シートの設置法方法であって、
前記第１領域および前記第２領域が露出するように、地面上に前記連結シートを配置する工程と、
前記連結シートを配置する工程の後に、前記第１領域に前記第１の不織布層を装着して前記連結シートに前記第１の防草シートを取り付ける工程と、
前記連結シートを配置する工程の後に、前記第２領域に前記第２の不織布層を装着して前記連結シートに前記第２の防草シートを取り付ける工程と、を含む、防草シートの設置方法。
【請求項１０】
前記連結シートを配置する工程は、前記地面に前記連結シートを固定する工程を含む、
請求項８または請求項９に記載の防草シートの設置方法。
【発明の詳細な説明】
【技術分野】
【０００１】
本開示は、防草シートの設置構造および防草シートの設置方法に関するものである。
【背景技術】
【０００２】
防草シートを設置した後、防草シートの端部同士を連結する構造が開示されている（例えば、特許文献１参照）。
【先行技術文献】
【特許文献】
【０００３】
【特許文献１】特開２０２０−７７１５７号公報
【発明の概要】
【発明が解決しようとする課題】
【０００４】
複数枚の防草シートを用いて防草したい地面の上に敷き詰める場合において、防草シート同士の間に隙間があると、例えば防草シートの端部が風で捲り上がった場合に地面が露出し、露出した部分から雑草が生えてくるおそれがある。すなわち、防草機能を十分に発揮できず、防草できないおそれがある。このような状況はできるだけ避けることが望ましい。さらに、敷き詰める防草シートの位置の調整の容易さも求められる。【０００５】
そこで、防草機能を確実に果たすことができると共に、位置の調整が容易な防草シートの設置構造を提供することを本開示の目的の１つとする。
【課題を解決するための手段】
【０００６】
本開示に従った防草シートの設置構造は、不織布から構成される第１の不織布層を含み、防草機能を有する第１の防草シートと、不織布から構成される第２の不織布層を含み、防草機能を有する第２の防草シートと、シート状のベース部と、ベース部上に設けられ、第１の不織布層および第２の不織布層と着脱可能な面ファスナ部と、を含む連結シートと、を備える。面ファスナ部は、第１の不織布層に装着される第１領域と、連結シートの厚さ方向に見て第１領域と隣り合って配置され、第２の不織布層に装着される第２領域と、を含む。
【発明の効果】
【０００７】
上記防草シートの設置構造によれば、防草機能を確実に果たすことができると共に、位置の調整が容易である。
【図面の簡単な説明】
【０００８】
【図１】図１は、実施の形態１における防草シートの設置構造の概略斜視図である。
【図２】図２は、図１に示す防草シートの設置構造の概略側面図である。
【図３】図３は、図２に示す防草シートの設置構造のうちの領域ＩＩＩで示す部分の拡大図である。
【図４】図４は、図１に示す防草シートの設置構造において、後述する第２の防草シートの一部を後述する連結シートから脱離させた状態を示す概略斜視図である。
【図５】図５は、図４に示す防草シートの設置構造の概略平面図である。
【図６】図６は、図１に示す防草シートの設置構造の分解斜視図である。
【図７】図７は、図６に示す防草シートの設置構造の概略側面図である。
【図８】図８は、図７に示す防草シートの設置構造のうちの領域ＶＩＩＩで示す部分の拡大図である。
【図９】図９は、連結シートの概略平面図である。
【図１０】図１０は、連結シートの一部の拡大側面図である。
【図１１】図１１は、防草シートの設置構造に用いられる防草シートの設置方法の代表的な工程を示すフローチャートである。
【図１２】図１２は、第１領域に第１の防草シートが装着された状態を示す概略斜視図である。
【図１３】図１３は、図１２に示す防草シートの設置構造の概略側面図である。
【図１４】図１４は、図１３に示す防草シートの設置構造のうちの領域ＸＩＶで示す部分の拡大図である。
【図１５】図１５は、実施の形態２に係る防草シートの設置構造の一部を示す分解斜視図である。
【図１６】図１６は、図１５に示す防草シートの設置構造の一部の概略側面図である。
【図１７】図１７は、後述する杭を突き刺した状態の防草シートの設置構造の一部を示す概略斜視図である。
【図１８】図１８は、後述する杭を突き刺した状態の防草シートの設置構造を示す概略斜視図である。
【図１９】図１９は、図１８に示す防草シートの設置構造の概略平面図である。
【図２０】図２０は、実施の形態３に係る防草シートの設置構造に含まれる連結シートを示す概略平面図である。
【図２１】図２１は、実施の形態４に係る防草シートの設置構造に含まれる連結シートの一部の拡大側面図である。
【図２２】図２２は、実施の形態４に係る防草シートの設置構造に含まれる連結シートの一部を拡大して示す外観側面図である。
【図２３】図２３は、実施の形態６に係る防草シートの設置構造に含まれる連結シートの一部を拡大して示す外観側面図である。
【発明を実施するための形態】
【０００９】
［本開示の実施形態の説明］
最初に本開示の実施態様を列記して説明する。本開示に係る防草シートの設置構造は、不織布から構成される第１の不織布層を含み、防草機能を有する第１の防草シートと、不織布から構成される第２の不織布層を含み、防草機能を有する第２の防草シートと、シート状のベース部と、ベース部上に設けられ、第１の不織布層および第２の不織布層と着脱可能な面ファスナ部と、を含む連結シートと、を備える。面ファスナ部は、第１の不織布層に装着される第１領域と、連結シートの厚さ方向に見て第１領域と隣り合って配置され、第２の不織布層に装着される第２領域と、を含む。
【００１０】
本開示における防草シートの設置構造によると、連結シートの面ファスナ部の第１領域に第１の不織布層を装着し、連結シートの面ファスナ部の第２領域に第２の不織布層を装着する。第１の防草シートおよび第２の防草シートは、面ファスナ部において連結シートに装着されているため、風で捲り上がるおそれを低減することができる。よって、第１の防草シートと第２の防草シートとの間において、地面が露出するおそれを低減することができる。また、面ファスナ部において第１の防草シートおよび第２の防草シートが装着されているため、設置者の力で比較的容易に連結シートに装着したり、設置者の力で比較的容易に連結シートから脱離させることができる。よって、その位置の調整が容易である。したがって、このような防草シートの設置構造は、防草機能を確実に果たすことができると共に、位置の調整が容易である。
【００１１】
上記防草シートの設置構造において、連結シートの厚さ方向に見て、第１領域と第２領域とは隣接していてもよい。このようにすることにより、第１の防草シートと第２の防草シートとを隙間なく並べて配置することが容易となる。したがって、防草機能の向上を図ることができると共に、美観の向上を図ることができる。
【００１２】
上記防草シートの設置構造において、第１の防草シートと第１領域との装着力は、第２の防草シートと第２領域との装着力よりも小さくてもよい。このようにすることにより、面ファスナ部との装着力の小さい方を積極的に脱離しやすくして、面ファスナ部との装着力が小さい方の位置の調整を容易にすることができる。また、外部から力が加わらざるを得ない環境に防草シートの設置構造を配置する必要がある際に、外部から加わる力が第２の防草シート側として防草シートの設置構造を配置することにより、第２の防草シートが連結シートから脱離してしまうおそれを大きく低減することができる。よって、より防草機能の向上を図ることが容易となる。
【００１３】
上記防草シートの設置構造において、第１領域から第１の防草シートを第１の向きに脱離させる際の第１の力は、第１領域から第１の防草シートを第１の向きと異なる向きである第２の向きに脱離させる際の第２の力よりも大きくてもよい。このようにすることにより、防草シートの設置構造の移動等を図る際に、第１の力よりも小さい第２の力の力が作用する向きに第１の防草シートを脱離することが容易となる。よって、第１の防草シートを脱離させる際の労力の軽減を図ることができる。また、第１の防草シートに外部から力が加わらざるを得ない環境に防草シートの設置構造を配置する必要がある際に、外部から加わる力の向きを第１の向きとして防草シートの設置構造を配置することにより、第１の防草シートが連結シートから脱離してしまうおそれを大きく低減することができる。したがって、長期にわたって防草機能の向上を図ることができる。
【００１４】
上記防草シートの設置構造において、面ファスナ部は、ベース部から突出する複数の第１の突起部と、複数の第２の突起部と、を含んでもよい。第１の突起部は、ベース部からベース部の厚さ方向に延びる第１の支持部と、第１の支持部に接続され、ベース部の厚さ方向に交差する方向に延びる第１の係合部と、を含んでもよい。第２の突起部は、ベース部からベース部の厚さ方向に延びる第２の支持部と、第２の支持部に接続され、ベース部の厚さ方向に交差する方向であって第１の係合部の延びる向きと異なる向きに延びる第２の係合部と、を含んでもよい。複数の第１の突起部は、第１の方向に間隔をあけて並んで複数の列となるよう配置されてもよい。複数の第２の突起部は、第１の方向に間隔をあけて並んで複数の列となるよう配置されてもよい。複数の第１の突起部の列と複数の第２の突起部の列とは、第１の方向と交差する方向である第２の方向に一列ずつ間隔をあけて配置されてもよい。複数の第１の突起部の列の数と、第２の突起部の列の数とは、異なってもよい。このようにすることにより、より確実に長期にわたって防草機能の向上を図ることができる。
【００１５】
上記防草シートの設置構造において、連結シートを防草する地面に固定する固定具をさらに備えてもよい。このようにすることにより、連結シートを防草したい所望の地面の位置に確実に取り付けることができ、連結シート、ひいては防草シートが設置したい所望の位置からずれてしまうおそれを低減することができる。よって、例えば、設置個所が傾斜していたり、常に風や外力が加わる状況においても、設置した所望の位置からの防草シートの移動を抑制することができる。したがって、防草したい所望の位置の防草をより確実に行うことができる。
【００１６】
上記防草シートの設置構造において、固定具は、連結シートに貫通させて地面に打ち込まれる杭を含んでもよい。杭は、第１の防草シートおよび第２の防草シートのうちの少なくともいずれか一方によって覆われていてもよい。このようにすることにより、杭によって、より容易かつ確実に連結シートを地面に固定することができる。また、杭は、第１の防草シートおよび第２の防草シートのうちの少なくともいずれか一方によって覆われているため、杭が露出するおそれを大きく低減することができる。したがって、さらに美観の向上を図ることができると共に、防草機能が低下するおそれを大きく低減することができる。
【００１７】
上記防草シートの設置構造において、杭は、棒状の第１の打ち込み部と、棒状の第２の打ち込み部と、第１の打ち込み部の一方側の端部と第２の打ち込み部の一方側の端部とを接続する接続部と、を含んでもよい。第１の打ち込み部は、連結シートの厚さ方向に見て、第１領域が位置する領域に配置されてもよい。第２の打ち込み部は、連結シートの厚さ方向に見て、第２領域が位置する領域に配置されてもよい。接続部は、第１の防草シートおよび第２の防草シートによって覆われていてもよい。このようにすることにより、第１の打ち込み部および第２の打ち込み部によって、より確実に連結シートを地面に固定することができる。また、接続部は、第１の防草シートおよび第２の防草シートによって覆われているため、杭により美観が損ねられることを抑制することができる。
【００１８】
本開示に係る防草シートの設置方法は、不織布から構成される第１の不織布層を含み、防草機能を有する第１の防草シートと、不織布から構成される第２の不織布層を含み、防草機能を有する第２の防草シートと、シート状のベース部と、ベース部上に設けられ、第１の不織布層および第２の不織布層と着脱可能な面ファスナ部と、を含む連結シートと、を備え、面ファスナ部は、第１の不織布層に装着される第１領域と、連結シートの厚さ方向に見て第１領域と隣り合って配置され、第２の不織布層に装着される第２領域と、を含む防草シートの設置構造に用いられる防草シートの設置方法である。防草シートの設置方法は、第１領域および第２領域が露出するように、地面上に連結シートを配置する工程と、連結シートを配置する工程の後に、第１領域に第１の不織布層を装着して連結シートに第１の防草シートを取り付ける工程と、連結シートを配置する工程の後に、第２領域に第２の不織布層を装着して連結シートに第２の防草シートを取り付ける工程と、を含む。
【００１９】
このような防草シートの設置方法によれば、防草を要望する地面上の領域に、まず連結シートを配置し、次に、第１の防草シートおよび第２の防草シートを取り付ける。そうすると、防草を所望する地面の位置を考慮して、連結シートを配置し、第１の防草シートおよび第２の防草シートを取り付けることができる。また、第１の防草シートおよび第２の防草シートは、面ファスナ部において連結シートに取り付けられているため、その位置の調整が容易であり、必要に応じて脱離させることも容易となる。よって、このような防草シートの設置方法によると、防草機能を確実に果たすことができると共に、位置の調整が容易である。
【００２０】
上記防草シートの設置方法において、連結シートを配置する工程は、地面に連結シートを固定する工程を含んでもよい。このようにすることにより、より確実に連結シートが地面上を移動することを抑制することができる。よって、連結シートが移動して防草シートが偏ったり、防草シートが撓むおそれを低減することができる。したがって、防草を要望する地面上の領域に防草シートが配置されることとなり、防草機能を効率的に発揮することが容易となる。
【００２１】
［本願発明の実施形態の詳細］
次に、本開示の防草シートの設置構造の一実施形態を、図面を参照しつつ説明する。以下の図面において同一または相当する部分には同一の参照符号を付しその説明は繰り返さない。
【００２２】
（実施の形態１）
本開示の実施の形態１における防草シートの設置構造の構成について説明する。図１は、実施の形態１における防草シートの設置構造の概略斜視図である。図２は、図１に示す防草シートの設置構造の概略側面図である。図２は、図１中の矢印Ｙの向きに見た図である。なお、図２において、理解を容易にする観点から、防草シートの設置構造を配置する地面も図示している。図３は、図２に示す防草シートの設置構造のうちの領域ＩＩＩで示す部分の拡大図である。図４は、図１に示す防草シートの設置構造において、後述する第２の防草シートの一部を後述する連結シートから脱離させた状態を示す概略斜視図である。図５は、図４に示す防草シートの設置構造の概略平面図である。図５は、第１の防草シートの厚さ方向において、矢印Ｚで示す向きと逆の向きに見た図である。図６は、図１に示す防草シートの設置構造の分解斜視図である。すなわち、図６は、連結シートに後述する第１の防草シートおよび第２の防草シートが装着されていない状態を示す図である。図７は、図６に示す防草シートの設置構造の概略側面図である。図８は、図７に示す防草シートの設置構造のうちの領域ＶＩＩＩで示す部分の拡大図である。
【００２３】
図１〜図８を参照して、実施の形態１における防草シートの設置構造１０ａは、例えば庭やベランダといった防草したい地面２０ａの上の所望の位置に設置される。防草シートの設置構造１０ａは、コンクリートの隙間から生えてくる雑草の発生や長期間放置する土地における雑草の発生を抑制するために用いられる。
【００２４】
防草シートの設置構造１０ａは、第１の防草シート１１ａと、第２の防草シート１２ａと、連結シート１３ａと、を含む。第１の防草シート１１ａ、第２の防草シート１２ａおよび連結シート１３ａはそれぞれ、シート状である。第１の防草シート１１ａ、第２の防草シート１２ａおよび連結シート１３ａの厚さ方向はそれぞれ、図１等において、矢印Ｚで示す向きまたはその逆の向きで示される。第１の防草シート１１ａおよび第２の防草シート１２ａはそれぞれ、可撓性を有し、設置時において、この可撓性を利用することができる。なお、図４および図５は、第２の防草シート１２ａの一部を折り曲げた状態を示す。第１の防草シート１１ａおよび第２の防草シート１２ａはそれぞれ、鋏等で容易に切断可能な部材から構成されている。第１の防草シート１１ａおよび第２の防草シート１２ａはそれぞれ、設置する箇所の形状に応じて、鋏等による切断により厚さ方向に見て任意の形状に変更可能である。なお、連結シート１３ａについても、可撓性を有し、鋏等で容易に切断可能な部材から構成されている。第１の防草シート１１ａおよび第２の防草シート１２ａはそれぞれ、例えばクッション性を有する部材から構成されている。
【００２５】
第１の防草シート１１ａは、表側に位置する第１の面２１ａと、裏側に位置する第２の面２２ａと、を含む。第１の防草シート１１ａは、防草機能を有する。第１の防草シート１１ａは、厚さ方向に見て（Ｚ方向に見て）、第１の方向であるＹ方向の長さの方が第２の方向であるＸ方向の長さよりも長い矩形状である。すなわち、Ｘ方向の一方側の端部２３ａからＸ方向の他方側の端部２４ａに至るＸ方向の長さは、Ｙ方向の一方側の端部２５ａからＹ方向の他方が他の端部２６ａに至るＹ方向の長さよりも短い。本実施形態においては、第１の方向であるＹ方向と第２の方向であるＸ方向とは、直交している。
【００２６】
第１の防草シート１１ａは、不織布から構成される第１の不織布層１４ａを含む。具体的には、第１の防草シート１１ａは、不織布から構成される第１の不織布層１４ａと、遮光性や水を通さない機能等、防草機能を有するシートから構成される第１のシート層１５ａと、を含む。第１の防草シート１１ａは、第１の不織布層１４ａと第１のシート層１５ａとを厚さ方向に貼り合わせた構成である。なお、第１の不織布層１４ａについても、防草機能を有する。第１の防草シート１１ａは、第１の不織布層１４ａと第１のシート層１５ａとが積層した構造である。第１の不織布層１４ａは、第２の面２２ａ側に配置され、第１のシート層１５ａは、第１の面２１ａ側に配置される。第１の不織布層１４ａは、第２の面２２ａの全面に設けられており、連結シート１３ａに装着されていない状態で、第２の面２２ａにおいて露出している。防草シートの設置構造１０ａは、設置された際に、第１の不織布層１４ａが地面２０ａ側に対向し、第１のシート層１５ａが天に向かって露出する構成である。なお、第１の不織布層１４ａと第１のシート層１５ａとの間に他の層が含まれていてもよい。また、第１のシート層１５ａのうちの第１の面２１ａ側には、例えば人工芝が配置されていてもよい。
【００２７】
第２の防草シート１２ａは、表側に位置する第１の面３１ａと、裏側に位置する第２の面３２ａと、を含む。第２の防草シート１２ａは、防草機能を有する。第２の防草シート１２ａは、第１の防草シート１１ａと同様に厚さ方向に見て、Ｙ方向の長さの方がＸ方向の長さよりも長い矩形状である。すなわち、Ｘ方向の一方側の端部３３ａからＸ方向の他方側の端部３４ａに至るＸ方向の長さは、Ｙ方向の一方側の端部３５ａからＹ方向の他方が他の端部３６ａに至るＹ方向の長さよりも短い。本実施形態においては、第１の防草シート１１ａのサイズと、第２の防草シート１２ａのサイズとは、同じである。すなわち、Ｘ方向の長さ寸法、Ｙ方向の長さ寸法およびＺ方向の厚み寸法は、それぞれ同じである。本実施形態においては、第１の防草シート１１ａのＸ方向の一方側の端部２３ａと第２の防草シート１２ａのＸ方向の他方側の端部３４ａとが接触するように配置されている。
【００２８】
第２の防草シート１２ａは、不織布から構成される第２の不織布層１６ａを含む。具体的には、第２の防草シート１２ａは、不織布から構成される第２の不織布層１６ａと、防草機能を有するシートから構成される第２のシート層１７ａと、を含む。第２の防草シート１２ａは、第２の不織布層１６ａと第２のシート層１７ａとを厚さ方向に貼り合わせた構成である。なお、第２の不織布層１６ａについても、防草機能を有する。第２の防草シート１２ａは、第２の不織布層１６ａと第２のシート層１７ａとが積層した構造である。第２の不織布層１６ａは、第２の面３２ａ側に配置され、第２のシート層１７ａは、第１の面３１ａ側に配置される。第２の不織布層１６ａは、第２の面３２ａの全面に設けられており、連結シート１３ａに装着されていない状態で、第２の面３２ａにおいて露出している。防草シートの設置構造１０ａは、設置された際に、第２の不織布層１６ａが地面２０ａ側に対向し、第２のシート層１７ａが天に向かって露出する構成である。なお、第２の不織布層１６ａと第２のシート層１７ａとの間に他の層が含まれていてもよい。また、第２のシート層１７ａのうちの第１の面３１ａ側には、例えば人工芝が配置されていてもよい。
【００２９】
次に、連結シート１３ａの構成について説明する。図９は、連結シート１３ａの概略平面図である。なお、図９において、理解を容易にする観点から、後述する突起部の数を少なく、かつ、大きさを大きくして概略的に図示している。図９を併せて参照して、連結シート１３ａは、表側に位置する第１の面４１ａと、裏側に位置する第２の面４２ａと、を含む。図９は、連結シート１３ａの厚さ方向において、矢印Ｚで示す向きと逆の向きである第１の面４１ａ側から見た図である。連結シート１３ａは、厚さ方向に見て、Ｙ方向の長さの方がＸ方向の長さよりも長い矩形状である。すなわち、Ｘ方向の一方側の端部４３ａからＸ方向の他方側の端部４４ａに至るＸ方向の長さは、Ｙ方向の一方側の端部４５ａからＹ方向の他方が他の端部４６ａに至るＹ方向の長さよりも短い。本実施形態においては、連結シート１３ａのＸ方向の長さは、第１の防草シート１１ａおよび第２の防草シート１２ａのＸ方向の長さよりも短い。連結シート１３ａのＹ方向の長さは、第１の防草シート１１ａおよび第２の防草シート１２ａのＹ方向の長さと同じである。連結シート１３ａは、樹脂製である。具体的には、連結シート１３ａの材質としては、ナイロン樹脂（ポリアミド（Ｐｏｌｙａｍｉｄｅ）樹脂）やポリプロピレン（Ｐｏｌｙｐｒｏｐｙｌｅｎｅ）樹脂、ポリエステル（Ｐｏｌｙｅｓｔｅｒ）樹脂が挙げられる。
【００３０】
連結シート１３ａは、シート状のベース部１８ａと、ベース部１８ａ上に設けられ、第１の不織布層１４ａおよび第２の不織布層１６ａと着脱可能な面ファスナ部１９ａと、を含む。なお、ベース部１８ａについても、防草機能を有する。連結シート１３ａは、ベース部１８ａ上に面ファスナ部１９ａが形成された構成である。ベース部１８ａは、第２の面４２ａ側に配置され、面ファスナ部１９ａは、第１の面４１ａ側に配置される。第２の面４２ａは、平面である。防草シートの設置構造１０ａは、設置された際に、ベース部１８ａの第２の面４２ａが地面２０ａ側に対向し、面ファスナ部１９ａが天に向かう向きに配置される構成である。なお、ベース部１８ａと面ファスナ部１９ａとの間に他の層が含まれていてもよい。また、連結シート１３ａ、具体的には、ベース部１８ａは、遮光性を有する部材等、防草機能を有する部材により構成されていてもよい。
【００３１】
面ファスナ部１９ａの具体的な構成について説明する。図１０は、連結シート１３ａの一部の拡大側面図である。図１０を併せて参照して、面ファスナ部１９ａは、ベース部１８ａから突出する複数の突起部５１ａを含む。本実施形態においては、面ファスナ部１９ａは、ベース部１８ａから突出する複数の突起部５１ａから構成されている。複数の突起部５１ａはそれぞれ、Ｘ方向およびＹ方向に間隔をあけて配置されている。突起部５１ａは、ベース部１８ａからＺ方向に突出する支持部５２ａと、第１の係合部５３ａと、第２の係合部５４ａと、を含む。本実施形態においては、支持部５２ａは、棒状であって、ベース部１８ａからベース部１８ａの厚さ方向（Ｚ方向）に延びるように形成されている。支持部５２ａの一方側の端部５５ａは、ベース部１８ａに接続されている。第１の係合部５３ａおよび第２の係合部５４ａはそれぞれ、支持部５２ａの他方側の端部５６ａと接続するように形成されている。
【００３２】
第１の係合部５３ａおよび第２の係合部５４ａはそれぞれ、側面（Ｙ方向）から見て半円弧状である。第１の係合部５３ａの支持部５２ａから端部５７ａまでのＸ方向の長さは、第２の係合部５４ａの支持部５２ａから端部５８ａまでのＸ方向の長さと同等である。第１の係合部５３ａの端部５７ａ側および第２の係合部５４ａの端部５８ａ側から第１の不織布層１４ａおよび第２の不織布層１６ａをそれぞれ構成する不織布が引っ掛かって絡まるように、第１の係合部５３ａおよび第２の係合部５４ａはそれぞれ、鈎爪状に形成されている。具体的には、それぞれの端部５７ａ，５８ａがベース部１８ａに向かって反るような半円弧状の形状である。第１の係合部５３ａが配置される向きと、第２の係合部５４ａが配置される向きとは、側面（Ｙ方向）から見て、反対側となっている。
【００３３】
連結シート１３ａは、面ファスナ部１９ａが配置されている部分に第１の不織布層１４ａを所定の力で押し当てることにより、第１の不織布層１４ａにおける不織布と、第１の係合部５３ａおよび第２の係合部５４ａとを絡み合わせて、第１の防草シート１１ａを装着可能である。また、第１の防草シート１１ａを連結シート１３ａから所定の力で引きはがすことにより、第１の不織布層１４ａと、第１の係合部５３ａおよび第２の係合部５４ａとの絡み合った状態を解除して、連結シート１３ａから第１の防草シート１１ａを脱離可能である。連結シート１３ａと第２の防草シート１２ａとの装着および脱離についても同様である。
【００３４】
ここで、面ファスナ部１９ａは、第１領域６１ａと、第２領域６２ａと、を含む（特に図９参照）。第１領域６１ａは、連結シート１３ａの厚さ方向に見て（Ｚ方向に見て）、Ｘ方向の長さよりもＹ方向の長さの方が短い矩形状である。第２領域６２ａも、連結シート１３ａの厚さ方向に見て、Ｘ方向の長さよりもＹ方向の長さの方が短い矩形状である。本実施形態においては、第１領域６１ａと第２領域６２ａとは、隣接して設けられている。すなわち、第１領域６１ａと第２領域６２ａとの間には、隙間は設けられていない。第１領域６１ａと第２領域６２ａとは、Ｘ方向に並んで配置される。第１領域６１ａは、第１の不織布層１４ａに装着される。第２領域６２ａは、第２の不織布層１６ａに装着される。なお、図９において、第１領域６１ａと第２領域６２ａとの境界は、一点鎖線で図示されている。第１領域６１ａにおける複数の突起部５１ａの密度と第２領域６２ａにおける複数の突起部５１ａの密度とは、同等である。例えば、第１領域６１ａにおける単位面積当たりの突起部５１ａの数と、第２領域６２ａにおける単位面積当たりの突起部５１ａの数とは、同じである。本実施形態において、第１の防草シート１１ａと第１領域６１ａとの装着力は、第２の防草シート１２ａと第２領域６２ａとの装着力と同等である。
【００３５】
次に、上記した防草シートの設置構造１０ａにおける防草シートの設置方法について説明する。図１１は、防草シートの設置構造１０ａに用いられる防草シートの設置方法の代表的な工程を示すフローチャートである。
【００３６】
図１１を併せて参照して、まず、防草シートの設置構造１０ａを配置する地面２０ａ上に連結シート１３ａが配置される（図１１において、ステップＳ１１、以下「ステップ」を省略する）。この時、第２の面４２ａが地面２０ａ側に対向するように配置される。すなわち、面ファスナ部１９ａの第１領域６１ａおよび第２領域６２ａが天に向かって露出するように配置される。
【００３７】
次に、第１領域６１ａに第１の不織布層１４ａが装着されて連結シート１３ａに第１の防草シート１１ａが装着される。また、第２領域６２ａに第２の不織布層１６ａが装着されて連結シート１３ａに第２の防草シート１２ａが装着される（Ｓ１２）。図１２は、第１領域６１ａに第１の防草シート１１ａが装着された状態を示す概略斜視図である。図１３は、図１２に示す防草シートの設置構造１０ａの概略側面図である。図１４は、図１３に示す防草シートの設置構造１０ａのうちの領域ＸＩＶで示す部分の拡大図である。
【００３８】
併せて図１２、図１３および図１４を参照して、この時、例えば先に第１領域６１ａに第１の防草シート１１ａが装着された後に、第２領域６２ａに第２の防草シート１２ａが装着される。具体的には、設置者は、第１の不織布層１４ａを、連結シート１３ａのうち、面ファスナ部１９ａの第１領域６１ａが配置されている部分に所定の力で押し当てることにより、第１の不織布層１４ａにおける不織布と、第１領域６１ａに配置された複数の突起部５１ａの第１の係合部５３ａおよび第２の係合部５４ａとを絡み合わせて、第１の防草シート１１ａを装着する。第１の防草シート１１ａの装着時において所望の位置からずれて装着してしまった場合、第１の防草シート１１ａを所定の力で引きはがすことにより、第１の不織布層１４ａと、第１の係合部５３ａおよび第２の係合部５４ａとの絡み合った状態を解除して、連結シート１３ａから第１の防草シート１１ａを脱離させる。そして、再び第１の防草シート１１ａを第１領域６１ａに装着する。連結シート１３ａと第２の防草シート１２ａとの装着および脱離についても同様である。ここで、連結シート１３ａの厚さ方向に見て、第１領域６１ａと第２領域６２ａとは隣接している。そして、第１の防草シート１１ａの一方側の端部２３ａと第２の防草シート１２ａの他方側の端部３４ａとが接触するように、第１の防草シート１１ａおよび第２の防草シート１２ａが連結シート１３ａに装着される。すなわち、Ｚ方向において、第１の防草シート１１ａの第１の面２１ａ側から見て、連結シート１３ａは露出していない構成である。
【００３９】
なお、この装着の順序は、逆でもよい。すなわち、先に第２領域６２ａに第２の防草シート１２ａが装着された後に、第１領域６１ａに第１の防草シート１１ａが装着されてもよい。また、第１領域６１ａの一部に第１の防草シート１１ａの一部が装着された後に、第２領域６２ａに第２の防草シート１２ａが装着され、その後、第１領域６１ａの残りの部分に第１の防草シート１１ａの残りの部分が装着されてもよい。この時、第１の防草シート１１ａおよび第２の防草シート１２ａの可撓性を有効に利用するとよい。
【００４０】
このようにして、防草シートの設置構造１０ａは、地面２０ａ上の所望の位置に配置される。本開示における防草シートの設置構造１０ａによると、連結シート１３ａの面ファスナ部１９ａの第１領域６１ａに第１の不織布層１４ａが装着され、連結シート１３ａの面ファスナ部１９ａの第２領域６２ａに第２の不織布層１６ａが装着される。第１の防草シート１１ａおよび第２の防草シート１２ａは、面ファスナ部１９ａにおいて連結シート１３ａに装着されているため、風で捲り上がるおそれを低減することができる。この場合、端部２３ａ，３４ａ側から捲り上がるおそれを低減することができる。よって、第１の防草シート１１ａと第２の防草シート１２ａとの間において、地面２０ａが露出するおそれを低減することができる。また、面ファスナ部１９ａにおいて第１の防草シート１１ａおよび第２の防草シート１２ａが装着されているため、設置者の力で比較的容易に連結シート１３ａに装着したり、設置者の力で比較的容易に連結シート１３ａから脱離させることができる。よって、その位置の調整が容易である。したがって、このような防草シートの設置構造１０ａは、防草機能を確実に果たすことができると共に、位置の調整が容易である。また、このような防草シートの設置方法によれば、防草機能を確実に果たすことができると共に、位置の調整が容易である。
【００４１】
本実施形態においては、第１領域６１ａと第２領域６２ａとは隣接している。よって、第１の防草シート１１ａと第２の防草シート１２ａとを隙間なく並べて配置することが容易となる。したがって、防草機能の向上を図ることができると共に、美観の向上を図ることができる。
【００４２】
なお、端部２４ａ，３３ａ側においても同様に、連結シート１３ａと、第１の防草シート１１ａおよび第２の防草シート１２ａと同様の構成の第３の防草シートとを装着することにより、防草する面積を容易に大きくすることができる。また、端部２５ａ，２６ａ，３５ａ，３６ａ側においても同様に、連結シート１３ａと、第１の防草シート１１ａおよび第２の防草シート１２ａと同様の構成の防草シートとを用いて、防草する面積の拡大を図ることができる。
【００４３】
（実施の形態２）
次に、他の実施の形態である実施の形態２について説明する。図１５は、実施の形態２に係る防草シートの設置構造の一部を示す分解斜視図である。図１６は、図１５に示す防草シートの設置構造の一部の概略側面図である。図１６は、矢印Ｘで示す向きと逆の向きから見た図である。図１７は、後述する杭を突き刺した状態の防草シートの設置構造の一部を示す概略斜視図である。図１８は、後述する杭を突き刺した状態の防草シートの設置構造を示す概略斜視図である。図１９は、図１８に示す防草シートの設置構造の概略平面図である。実施の形態２の防草シートの設置構造は、連結シートを防草する地面に固定する固定具を含む点において、実施の形態１の場合と異なっている。
【００４４】
図１５〜図１９を参照して、実施の形態２における防草シートの設置構造１０ｂは、連結シートを防草する地面に固定する固定具として、連結シート１３ａに貫通させて地面２０ａに打ち込まれる３つ杭７０ａ，７０ｂ，７０ｃを含む。杭７０ａ，７０ｂ，７０ｃは、金属製である。
【００４５】
杭７０ａの構成について説明する。杭７０ａは、棒状の第１の打ち込み部７１ａと、棒状の第２の打ち込み部７２ａと、第１の打ち込み部７１ａの一方側の端部と第２の打ち込み部７２ａの一方側の端部とを接続する接続部７３ａと、を含む。杭７０ａは、側面側、この場合は、Ｙ方向から見てＵ字状に構成されている。第１の打ち込み部７１ａは、他方側の端部７４ａを地面２０ａに突き刺すようにして取り付けられる。第２の打ち込み部７２ａは、他方側の端部７５ａを地面２０ａに突き刺すようにして取り付けられる。第１の打ち込み部７１ａは、連結シート１３ａの厚さ方向に見て、第１領域６１ａが位置する領域に配置されている。第２の打ち込み部７２ａは、連結シート１３ａの厚さ方向に見て、第２領域６２ａが位置する領域に配置されている。なお、杭７０ｂ，７０ｃの構成については、杭７０ａと同様である。すなわち、杭７０ｂは、棒状の第１の打ち込み部７１ｂと、棒状の第２の打ち込み部７２ｂと、第１の打ち込み部７１ｂの一方側の端部と第２の打ち込み部７２ｂの一方側の端部とを接続する接続部７３ｂと、を含む。第１の打ち込み部７１ｂは、他方側の端部７４ｂを地面２０ａに突き刺すようにして取り付けられる。第２の打ち込み部７２ｂは、他方側の端部７５ｂを地面２０ａに突き刺すようにして取り付けられる。杭７０ｃは、棒状の第１の打ち込み部７１ｃと、棒状の第２の打ち込み部７２ｃと、第１の打ち込み部７１ｃの一方側の端部と第２の打ち込み部７２ｃの一方側の端部とを接続する接続部７３ｃと、を含む。第１の打ち込み部７１ｃは、他方側の端部７４ｃを地面２０ａに突き刺すようにして取り付けられる。第２の打ち込み部７２ｃは、他方側の端部７５ｃを地面２０ａに突き刺すようにして取り付けられる。それぞれの接続部７３ａ，７３ｂ，７３ｃは、第１領域６１ａおよび第２領域６２ａに跨って第１の面４１ａ上に配置される。
【００４６】
杭７０ａ，７０ｂ，７０ｃはそれぞれ、第１の防草シート１１ａおよび第２の防草シート１２ａの双方によって覆われている。本実施形態においては、杭７０ａ，７０ｂ，７０ｃのそれぞれの接続部７３ａ，７３ｂ，７３ｃは、第１の防草シート１１ａおよび第２の防草シート１２ａによって覆われている。
【００４７】
上記防草シートの設置方法において、連結シート１３ａを配置する工程は、地面２０ａに連結シート１３ａを固定する工程を含む。固定する工程としては、まず連結シート１３ａを設置したい所望の位置に配置し、杭７０ａ，７０ｂ，７０ｃを地面２０ａに突き刺す。この場合、杭７０ａ，７０ｂ，７０ｃはそれぞれ、接続部７３ａ，７３ｂ，７３ｃがＸ方向に沿うように取り付けられる。また、杭７０ａ，７０ｂ，７０ｃはそれぞれ、Ｙ方向に間隔をあけて配置される。その後、実施の形態１と同様に、第１の防草シート１１ａおよび第２の防草シート１２ａは、それぞれ面ファスナ部１９ａの第１領域６１ａおよび第２領域６２ａに装着される。この場合、第１領域６１ａにおいては、杭７０ａ，７０ｂ，７０ｃの接続部７３ａ，７３ｂ，７３ｃはそれぞれ、第１の防草シート１１ａによって覆われ、第２領域６２ａにおいては、杭７０ａ，７０ｂ，７０ｃの接続部７３ａ，７３ｂ，７３ｃはそれぞれ、第２の防草シート１２ａによって覆われる。
【００４８】
このようにすることにより、より確実に連結シート１３ａが地面２０ａ上を移動することを抑制することができる。よって、連結シート１３ａが移動して第１の防草シート１１ａおよび第２の防草シート１２ａが偏ったり、第１の防草シート１１ａおよび第２の防草シート１２ａが撓むおそれを低減することができる。したがって、防草を要望する地面２０ａ上の領域に第１の防草シート１１ａおよび第２の防草シート１２ａが配置されることとなり、防草機能を効率的に発揮することが容易となる。
【００４９】
また、このように防草シートの設置構造１０ａが連結シート１３ａを固定する固定具としての杭７０ａ，７０ｂ，７０ｃを含むことにより、連結シート１３ａを防草したい所望の地面２０ａの位置に確実に取り付けることができ、連結シート１３ａ、ひいては第１の防草シート１１ａおよび第２の防草シート１２ａが設置したい所望の位置からずれてしまうおそれを低減することができる。よって、例えば、設置個所が傾斜していたり、常に風や外力が加わる状況においても、設置した所望の位置からの第１の防草シート１１ａおよび第２の防草シート１２ａの移動を抑制することができる。したがって、防草したい所望の位置の防草をより確実に行うことができる。
【００５０】
本実施形態において、防草シートの設置構造１０ａは、固定具として、連結シート１３ａに貫通させて地面２０ａに打ち込まれる杭７０ａ，７０ｂ，７０ｃを含む。杭７０ａ，７０ｂ，７０ｃは、第１の防草シート１１ａおよび第２の防草シート１２ａによって覆われている。よって、杭７０ａ，７０ｂ，７０ｃによって、より容易かつ確実に連結シート１３ａを地面２０ａに固定することができる。また、杭７０ａ，７０ｂ，７０ｃは、第１の防草シート１１ａおよび第２の防草シート１２ａによって覆われているため、杭７０ａ，７０ｂ，７０ｃが露出するおそれを大きく低減することができる。したがって、さらに美観の向上を図ることができると共に、防草機能が低下するおそれを大きく低減することができる。なお、杭７０ａ，７０ｂ，７０ｃの接続部７３ａ，７３ｂ，７３ｃが露出していない構成であるため、接続部７３ａ，７３ｂ，７３ｃによる引っ掛かりを防止することができる。
【００５１】
本実施形態において、杭７０ａ，７０ｂ，７０ｃはそれぞれ、棒状の第１の打ち込み部７１ａ，７１ｂ，７１ｃと、棒状の第２の打ち込み部７２ａ，７２ｂ，７２ｃと、第１の打ち込み部７１ａ，７１ｂ，７１ｃの一方側の端部と第２の打ち込み部７２ａ，７２ｂ，７２ｃの一方側の端部とを接続する接続部７３ａ，７３ｂ，７３ｃと、を含む。第１の打ち込み部７１ａ，７１ｂ，７１ｃは、連結シート１３ａの厚さ方向に見て、第１領域６１ａが位置する領域に配置される。第２の打ち込み部７２ａ，７２ｂ，７２ｃは、連結シート１３ａの厚さ方向に見て、第２領域６２ａが位置する領域に配置される。接続部７３ａ，７３ｂ，７３ｃは、第１の防草シート１１ａおよび第２の防草シート１２ａによって覆われている。よって、第１の打ち込み部７１ａ，７１ｂ，７１ｃおよび第２の打ち込み部７２ａ，７２ｂ，７２ｃにより、より確実に連結シート１３ａを地面２０ａに固定することができる。また、接続部７３ａ，７３ｂ，７３ｃは、第１の防草シート１１ａおよび第２の防草シート１２ａによって覆われているため、杭７０ａ，７０ｂ，７０ｃにより美観が損ねられることを抑制することができる。
【００５２】
なお、上記の実施の形態において、杭７０ａ，７０ｂ，７０ｃは、第１の防草シート１１ａおよび第２の防草シート１２ａによって覆われていることとしたが、これに限らず、杭７０ａ，７０ｂ，７０ｃは、第１領域６１ａまたは第２領域６２ａのいずれか一方側に配置され、第１の防草シート１１ａまたは第２の防草シート１２ａのいずれか一方によって覆われていることとしてもよい。すなわち、杭７０ａ，７０ｂ，７０ｃは、第１の防草シート１１ａおよび第２の防草シート１２ａのうちの少なくともいずれか一方に覆われていてもよい。
【００５３】
また、上記の実施の形態において、杭７０ａ，７０ｂ，７０ｃは、側面側から見てＵ字状であることとしたが、これに限らず、杭７０ａ，７０ｂ，７０ｃは、例えば側面側から見てＪ字状やＬ字状の形状を有していてもよいし、頭部と胴部を有するネジ状の部材であってもよい。
【００５４】
（実施の形態３）
次に、さらに他の実施の形態である実施の形態３について説明する。図２０は、実施の形態３に係る防草シートの設置構造に含まれる連結シートを示す概略平面図である。実施の形態３の防草シートの設置構造において、第１の連結シートの装着力は、第２の連結シートの装着力よりも小さい点において、実施の形態１の場合と異なっている。
【００５５】
図２０を参照して、実施の形態３に係る防草シートの設置構造に含まれる連結シート１３ｂは、シート状のベース部１８ｂと、ベース部１８ｂ上に設けられ、第１の不織布層１４ａおよび第２の不織布層１６ａと着脱可能な面ファスナ部１９ｂと、を含む。面ファスナ部１９ｂは、第１の防草シート１１ａに含まれる第１の不織布層１４ａに装着される第１領域６１ｂと、連結シート１３ｂの厚さ方向に見て第１領域６１ｂと隣り合って配置され、第２の防草シート１２ａに含まれる第２の不織布層１６ａに装着される第２領域６２ｂと、を含む。
【００５６】
ここで、第１の防草シート１１ａと第１領域６１ｂとの装着力と、第２の防草シート１２ａと第２領域６２ｂとの装着力とは、異なる。具体的には、第１の防草シート１１ａと第１領域６１ｂとの装着力は、第２の防草シート１２ａと第２領域６２ｂとの装着力よりも小さい。本実施形態においては、第１領域６１ｂにおける突起部５１ａの単位面積当たりの数と、第２領域６２ｂにおける突起部５１ａの単位面積当たりの数とは、異なる。具体的には、第１領域６１ｂにおける突起部５１ａの単位面積当たりの数は、第２領域６２ｂにおける突起部５１ａの単位面積当たりの数よりも少ない。より具体的には、第１領域６１ｂにおける突起部５１ａの単位面積当たりの数は、第２領域６２ｂにおける突起部５１ａの単位面積当たりの数の半分程度である。
【００５７】
本実施形態によると、面ファスナ部１９ｂとの装着力の弱い方を積極的に脱離させやすくして、面ファスナ部１９ｂとの装着力が弱い方の位置の調整を容易にすることができる。本実施形態においては、よって、より防草機能の向上を図ることが容易となる。
【００５８】
なお、上記の実施の形態においては、第１領域６１ｂにおける突起部５１ａの単位面積当たりの数と第２領域６２ｂにおける突起部５１ａの単位面積当たりの数とが異なる構成として、第１の防草シート１１ａと第１領域６１ｂとの装着力と第２の防草シート１２ａと第２領域６２ｂとの装着力とが異なることとしたが、これに限らない。例えば、第１領域６１ｂにおける突起部５１ａの単位面積当たりの数と第２領域６２ｂにおける突起部５１ａの単位面積当たりの数とを同等とした上で、第１領域６１ｂに配置される突起部５１ａの第１の係合部５３ａおよび第２の係合部５４ａの支持部５２ａからの突出量を、第２領域６２ｂに配置される突起部５１ａの第１の係合部５３ａおよび第２の係合部５４ａの支持部５２ａからの突出量よりも小さくしたり、第１領域６１ｂに配置される突起部５１ａの第１の係合部５３ａおよび第２の係合部５４ａの形状を、第２領域６２ｂに配置される突起部５１ａの第１の係合部５３ａおよび第２の係合部５４ａの形状と変更して、第１の防草シート１１ａと第１領域６１ｂとの装着力は、第２の防草シート１２ａと第２領域６２ｂとの装着力よりも小さくするようにしてもよい。
【００５９】
また他にも、第１領域６１ｂにおける突起部５１ａの大きさを、第２領域６２ｂにおける突起部５１ａの大きさよりも小さくすることにより、第１の防草シート１１ａと第１領域６１ｂとの装着力を、第２の防草シート１２ａと第２領域６２ｂとの装着力よりも小さくするようにしてもよい。また、第１領域６１ｂにおける突起部５１ａに含まれる第１の係合部５３ａおよび第２の係合部５４ａの長さを、第２領域６２ｂにおける突起部５１ａに含まれる第１の係合部５３ａおよび第２の係合部５４ａの長さよりも短くすることにより、第１の防草シート１１ａと第１領域６１ｂとの装着力を、第２の防草シート１２ａと第２領域６２ｂとの装着力よりも小さくするようにしてもよい。すなわち、第１領域６１ｂにおける支持部５２ａから第１の係合部５３ａの端部５７ａまでのＸ方向の長さおよび支持部５２ａから第２の係合部５４ａの端部５８ａまでのＸ方向の長さをそれぞれ、第２領域６２ｂにおける支持部５２ａから第１の係合部５３ａの端部５７ａまでのＸ方向の長さおよび支持部５２ａから第２の係合部５４ａの端部５８ａまでのＸ方向の長さよりも短くする。このようにすることによって、第１の防草シート１１ａと第１領域６１ｂとの装着力を、第２の防草シート１２ａと第２領域６２ｂとの装着力よりも小さくするようにしてもよい。さらに、第１領域６１ｂにおける突起部５１ａの材質を、第２領域６２ｂにおける突起部５１ａの材質よりも柔らかいものとすることにより、第１の防草シート１１ａと第１領域６１ｂとの装着力を、第２の防草シート１２ａと第２領域６２ｂとの装着力よりも小さくするようにしてもよい。また、第１領域６１ｂにおける突起部５１ａの表面粗さを、第２領域６２ｂにおける突起部５１ａの表面粗さよりも小さくすることにより、第１の防草シート１１ａと第１領域６１ｂとの装着力を、第２の防草シート１２ａと第２領域６２ｂとの装着力よりも小さくするようにしてもよい。
【００６０】
（実施の形態４）
次に、さらに他の実施の形態である実施の形態４について説明する。図２１は、実施の形態４に係る防草シートの設置構造に含まれる連結シートの一部の拡大側面図である。実施の形態４の防草シートの設置構造は、連結シートの突起部の形状等が異なる点において、実施の形態１の場合と異なっている。
【００６１】
図２１を参照して、実施の形態４に係る防草シートの設置構造に含まれる連結シート１３ｃは、シート状のベース部１８ｃと、ベース部１８ｃ上に設けられ、第１の不織布層１４ａおよび第２の不織布層１６ａと着脱可能な面ファスナ部１９ｃと、を含む。ベース部１８ｃの構成は、ベース部１８ａの構成と同等であるため、その説明を省略する。面ファスナ部１９ｃは、ベース部１８ｃから突出する複数の第１の突起部５１ｂと、複数の第２の突起部５１ｃと、を含む。本実施形態においては、面ファスナ部１９ｃは、ベース部１８ｃから突出する複数の第１の突起部５１ｂおよび複数の第２の突起部５１ｃから構成されている。
【００６２】
複数の第１の突起部５１ｂは、ベース部１８ｃからベース部１８ｃの厚さ方向（Ｚ方向）に延びる第１の支持部５２ｂと、第１の支持部５２ｂに接続され、ベース部１８ｃの厚さ方向に交差する方向に延びる第１の係合部５３ｂと、を含む。本実施形態においては、第１の支持部５２ｂは、ベース部１８ｃから棒状に突出する。また、第１の係合部５３ｂは、鈎爪状である。第１の支持部５２ｂの一方側の端部５５ｂは、ベース部１８ｃに接続されている。第１の係合部５３ｂは、第１の支持部５２ｂの他方側の端部５６ｂと接続するように形成されている。第１の係合部５３ｂは、ベース部１８ｃの厚さ方向に交差する方向に延びている。本実施形態においては、第１の係合部５３ｂは、第１の方向であるＸ方向に延びている。具体的には、第１の係合部５３ｂは、Ｘ方向において端部５６ｂから端部５７ｂに向かって矢印Ｘで示す向きと逆の向きに延びるように設けられている。第１の突起部５１ｂは、第２の係合部を含まない構成である。
【００６３】
複数の第２の突起部５１ｃは、ベース部１８ｃからベース部１８ｃの厚さ方向に突出する第２の支持部５２ｃと、ベース部１８ｃの厚さ方向に交差する方向であって第１の係合部５３ｂの延びる向きと異なる向きに延びる第２の係合部５３ｃと、を含む。本実施形態においては、第２の支持部５２ｃは、ベース部１８ｃから棒状に突出する。また、第２の係合部５３ｃは、鈎爪状である。第２の支持部５２ｃの一方側の端部５５ｃは、ベース部１８ｃに接続されている。第２の係合部５３ｃは、第２の支持部５２ｃの他方側の端部５６ｃと接続するように形成されている。第２の係合部５３ｃは、ベース部１８ｃの厚さ方向に交差する方向に延びている。本実施形態においては、第２の係合部５３ｃは、第１の方向であるＸ方向に延びている。また、第２の係合部５３ｃは、第１の係合部５３ｂの延びる向きと異なる向きに延びている。具体的には、第２の係合部５３ｃは、Ｘ方向において端部５６ｂから端部５７ｂに向かって矢印Ｘで示す向きに延びるように設けられている。より具体的には、第２の係合部５３ｃが延びる向きと、第１の係合部５３ｂが延びる向きとは、１８０度異なる。第２の突起部５１ｃは、第１の係合部を含まない構成である。
【００６４】
複数の第１の突起部５１ｂは、第１の方向であるＹ方向に間隔をあけて並んで複数の列となるよう配置されている。複数の第２の突起部５１ｃは、第１の方向であるＹ方向に間隔をあけて並んで複数の列となるよう配置される。複数の第１の突起部５１ｂの列と複数の第２の突起部５１ｃの列とは、第１の方向と交差する方向である第２の方向、すなわち、Ｘ方向に一列ずつ間隔をあけて配置される。本実施形態においては、図２１に示すように、複数の第１の突起部５１ｂおよび複数の第２の突起部５１ｃはそれぞれ、第１の方向であるＸ方向に間隔をあけて一列ずつ、それぞれ交互となるよう配置されている。第１の突起部５１ｂおよび第２の突起部５１ｃは、図２０に示す突起部５１ａの配置のように、それぞれの設けられるＸ方向の位置がずれるように配置されている。面ファスナ部１９ｃは、交互に配置される複数の第１の突起部５１ｂの数と複数の第２の突起部５１ｃの数とが同等となるように構成されている。本実施形態においては、複数の第１の突起部５１ｂの列の数と、第２の突起部５１ｃの列の数とは、同じとなるよう構成されている。面ファスナ部１９ｃは、このような複数の第１の突起部５１ｂと複数の第２の突起部５１ｃとを含む構成としてもよい。
【００６５】
（実施の形態５）
次に、さらに他の実施の形態である実施の形態５について説明する。図２２は、実施の形態５に係る防草シートの設置構造に含まれる連結シートの一部を拡大して示す外観側面図である。実施の形態５の防草シートの設置構造において、第１領域から第１の防草シートを第１の向きに脱離させる際の第１の力は、第１領域から第１の防草シートを第１の向きと異なる向きである第２の向きに脱離させる際の第２の力よりも大きい点において、実施の形態１の場合と異なっている。
【００６６】
図２２を参照して、実施の形態５に係る防草シートの設置構造に含まれる連結シート１３ｄは、シート状のベース部１８ｄと、ベース部１８ｄ上に設けられ、第１の不織布層１４ａおよび第２の不織布層１６ａと着脱可能な面ファスナ部１９ｄと、を含む。ベース部１８ｄの構成は、ベース部１８ａの構成と同等であるため、その説明を省略する。面ファスナ部１９ｄは、ベース部１８ｄから突出する複数の突起部５１ｄから構成されている。複数の突起部５１ｄはそれぞれ、Ｘ方向およびＹ方向に間隔をあけて配置されている。突起部５１ｄは、ベース部１８ｄから棒状に突出する支持部５２ｄと、第１の係合部５３ｄと、第２の係合部５４ｄと、を含む。本実施形態においては、支持部５２ｄは、棒状であって、ベース部１８ｄから垂直な方向（Ｚ方向）に延びるように形成されている。支持部５２ｄの一方側の端部５５ｄは、ベース部１８ｄに接続されている。第１の係合部５３ｄおよび第２の係合部５４ｄはそれぞれ、支持部５２ｄの他方側の端部５６ｄと接続するように形成されている。
【００６７】
第１の係合部５３ｄは、側面（Ｙ方向）から見て半円弧状である。一方、第２の係合部５４ｄは、半円弧状の第１の係合部５３ｄをさらに短く切断した形状である。すなわち、第２の係合部５４ｄの支持部５２ｄから端部５８ｄまでのＸ方向の長さは、第１の係合部５３ｄの支持部５２ｄから端部５７ｄまでのＸ方向の長さよりも短くなっている。第２の係合部５４ｄは、半円弧状の形状をさらに半分に切断した形状である。第１の係合部５３ｄの端部５７ｄ側および第２の係合部５４ｄの端部５８ｄ側から第１の不織布層１４ａおよび第２の不織布層１６ａをそれぞれ構成する不織布が引っ掛かって絡まるように、第１の係合部５３ｄおよび第２の係合部５４ｄはそれぞれ、鈎爪状に形成されている。第１の係合部５３ｄが配置される向きと、第２の係合部５４ｄが配置される向きとは、側面（Ｙ方向）から見て、反対側となっている。
【００６８】
ここで、上記した第１の係合部５３ｄの形状と第２の係合部５４ｄの形状との相違により、第１領域６１ａから第１の防草シート１１ａを矢印Ｆ１で示す向きである第１の向きに脱離させる際の第１の力は、第１領域６１ａから第１の防草シート１１ａを第１の向きと異なる向きであり、矢印Ｆ２で示す向きである第２の向きに脱離させる際の第２の力よりも大きい。矢印Ｆ１で示す向きおよび矢印Ｆ２で示す向きはそれぞれ、Ｘ方向およびＺ方向に対してそれぞれ４５度傾斜している。矢印Ｆ１で示す向きは、Ｘ方向において矢印Ｆ２で示す向きと逆である。矢印Ｆ１で示す向きと、矢印Ｆ２で示す向きと逆の向きとは、直交している。すなわち、図２２に示すように、矢印Ｆ１で示す向きに対する矢印Ｆ２で示す向きと逆の向きの角度は、９０度である。
【００６９】
このようにすることにより、防草シートの設置構造の移動等を図る際に、第１の力よりも小さい第２の力の力が作用する向きに第１の防草シート１１ａを脱離させることができる。よって、第１の防草シート１１ａを脱離させる際の労力の軽減を図ることができる。また、第１の防草シート１１ａを脱離させる向きに外部から力が加わらざるを得ない環境に防草シートの設置構造１０ａを配置する必要がある際に、外部から加わる力の向きを第１の向きとして防草シートの設置構造１０ａを配置することにより、第１の防草シート１１ａが連結シート１３ｄから脱離してしまうおそれを大きく低減することができる。したがって、長期にわたって防草機能の向上を図ることができる。
【００７０】
なお、上記の実施の形態においては、第１の係合部５３ｄの形状を半円弧状とし、第２の係合部５４ｄを第１の係合部５３ｂをさらに短く切断した形状であることとしたが、これに限らない。例えば、支持部に接続される第１の係合部および第２の係合部の数を変更したり、支持部に接続される第１の係合部および第２の係合部を取り付けるＸ方向の角度、Ｙ方向の角度およびＺ方向の角度の少なくともいずれか１つを変更することにより、第１領域から第１の防草シートを第１の向きに脱離させる際の第１の力を、第１領域から第１の防草シートを第１の向きと異なる向きである第２の向きに脱離させる際の第２の力よりも大きくするよう構成してもよい。
【００７１】
（実施の形態６）
次に、さらに他の実施の形態である実施の形態６について説明する。図２３は、実施の形態６に係る防草シートの設置構造に含まれる連結シートの一部を拡大して示す外観側面図である。実施の形態６の防草シートの設置構造において、第１の突起部の数と第２の突起部の数とが異なる点において、実施の形態４の場合と異なっている。
【００７２】
図２３を参照して、実施の形態６に係る防草シートの設置構造に含まれる連結シート１３ｅは、シート状のベース部１８ｅと、ベース部１８ｅ上に設けられ、第１の不織布層１４ａおよび第２の不織布層１６ａと着脱可能な面ファスナ部１９ｅと、を含む。ベース部１８ｅの構成は、ベース部１８ａの構成と同等であるため、その説明を省略する。面ファスナ部１９ｅは、ベース部１８ｃから突出する複数の第１の突起部５１ｂおよび複数の第２の突起部５１ｃから構成されている。第１の突起部５１ｂの形状および第２の突起部５１ｃの形状については、実施の形態４の場合と同じであるため、それらの説明を省略する。
【００７３】
ここで、複数の第１の突起部５１ｂは、第１の方向であるＹ方向に間隔をあけて並んで複数の列となるよう配置されている。複数の第２の突起部５１ｃは、第１の方向であるＹ方向に間隔をあけて並んで複数の列となるよう配置される。複数の第１の突起部５１ｂの列と複数の第２の突起部５１ｃの列とは、図２３に示すように、第１の方向と交差する方向である第２の方向、すなわち、Ｘ方向に一列ずつ間隔をあけて配置される。本実施形態においては、第１の突起部５１ｂおよび第２の突起部５１ｃは、図２０に示す突起部５１ａの配置のように、それぞれの設けられるＸ方向の位置がずれるように配置されている。面ファスナ部１９ｃは、複数の第１の突起部５１ｂの列の数と複数の第２の突起部５１ｃの列の数とが異なるように構成されている。本実施形態においては、複数の第１の突起部５１ｂがＸ方向に間隔をあけて３列配置され、その隣にＸ方向に間隔をあけて複数の第２の突起部５１ｃが１列配置される構成である。面ファスナ部１９ｅは、この構成がＸ方向に繰り返すように構成されている。
【００７４】
上記した複数の第１の突起部５１ｂの列の数と複数の第２の突起部５１ｃの列の数の相違により、第１領域６１ａから第１の防草シート１１ａを矢印Ｆ１で示す向きである第１の向きに脱離させる際の第１の力は、第１領域６１ａから第１の防草シート１１ａを第１の向きと異なる向きであり、矢印Ｆ２で示す向きである第２の向きに脱離させる際の第２の力よりも大きくなる。矢印Ｆ１で示す向きおよび矢印Ｆ２で示す向きはそれぞれ、Ｘ方向およびＺ方向に対してそれぞれ４５度傾斜している。矢印Ｆ１で示す向きは、Ｘ方向において矢印Ｆ２で示す向きと逆である。
【００７５】
このようにすることにより、防草シートの設置構造の移動等を図る際に、第１の力よりも小さい第２の力の力が作用する向きに第１の防草シート１１ａを脱離させることができる。よって、第１の防草シート１１ａを脱離させる際の労力の軽減を図ることができる。また、第１の防草シート１１ａを脱離させる向きに外部から力が加わらざるを得ない環境に防草シートの設置構造１０ａを配置する必要がある際に、外部から加わる力の向きを第１の向きとして防草シートの設置構造１０ａを配置することにより、第１の防草シート１１ａが連結シート１３ｅから脱離してしまうおそれを大きく低減することができる。したがって、長期にわたって防草機能の向上を図ることができる。
【００７６】
なお、本実施形態においては、複数の第１の突起部５１ｂが３列並んで配置され、複数の第２の突起部５１ｃが１列配置される構成として第１の突起部５１ｂの列の数と第２の突起部５１ｃの列の数とを３：１となるように構成したが、これに限らず、第１の突起部５１ｂの列の数と第２の突起部５１ｃの列の数とを必要に応じて、４：１としてもよいし、２：１としてもよいし、その他の比率としてもよい。また、第１領域６１ａに配置される複数の第１の突起部５１ｂの列の数と複数の第２の突起部５１ｃの列の数との比率と、第２領域６２ａに配置される複数の第１の突起部５１ｂの列の数と複数の第２の突起部５１ｃの列の数との比率とが、例えば逆の比率となるようにしてもよい。具体的には、第１領域６１ａにおける第１の突起部５１ｂの列の数と第２の突起部５１ｃの列の数とを３：１とし、第２領域６２ａにおける第１の突起部５１ｂの列の数と第２の突起部５１ｃの列の数とを１：３とする。このようにすることにより、より力の差を明確にして、長期にわたる防草機能の向上を図ることができる。
【００７７】
（他の実施の形態）
なお、上記の実施の形態において、面ファスナ部について、第１の係合部と第２の係合部とが、鈎爪状とすることとしたが、これに限らず、他の形状であってもよい。例えば第１の係合部および第２の係合部の端部がそれぞれＸ方向に真っ直ぐに延びる形状であってもよいし、傾斜して延びる形状や交差して延びる形状であってもよい。
【００７８】
また、上記の実施の形態においては、固定具として杭を用いることとしたが、これに限らず、連結シートを固定する部材として、連結シートと地面とを接着する接着剤等を固定具として利用してもよい。特に、地面側がコンクリート製の部材等であった場合、ある程度の平滑性があるため、連結シートの固定具として接着剤を用いることにより、より確実に防草したい領域に防草シートを配置することができる。
【００７９】
また、上記の実施の形態においては、第１の防草シートの端部と第２の防草シートの端部とが接触する構成にすることとしたが、これに限らず、第１の防草シートの端部と第２の防草シートの端部とが離隔して設けられることとしてもよい。この場合、例えば連結シートが防草機能を有することにより、より第１の防草シートと第２の防草シートとが離隔して配置される領域における防草機能の向上を図ることができる。
【００８０】
なお、上記の実施の形態において、第１の不織布層および第２の不織布層はそれぞれ、第２の面の全面に設けられていることとしたが、これに限らず、第１の不織布層および第２の不織布層はそれぞれ、第２の面において、端部が配置される一部の領域に設けられていることとしてもよい。
【００８１】
また、上記の実施の形態において、第１の方向と第２の方向とは直交することとしたが、これに限らず、第１の方向と第２の方向とは交差していればよく、第１の方向に対する第２の方向は、３０度や４５度、６０度といった角度で傾斜していてもよい。また、第１の向きと第２の向きとは直交していなくてもよく、こちらについても、第１の向きと第２の向きとは交差していればよく、第１の向きに対する第２の向きが３０度や４５度、６０度といった角度で傾斜していてもよい。
【００８２】
なお、上記の実施の形態においては、第１の防草シートは、不織布から構成される第１の不織布層と、遮光性や水を通さない機能等、防草機能を有するシートから構成される第１のシート層とを含むこととしたが、これに限らない。例えば、第１の防草シートは、不織布から構成される第１の不織布層を含み、防草機能を有するものとしてもよい。すなわち、第１の防草シートは、第１の不織布の層のみから構成され、その第１の不織布の層が、遮光性および遮水性のうちの少なくともいずれか一方を防草機能として有していてもよい。なお、第１の不織布層のみから構成される第１の防草シートの厚さとしては、具体的には、例えば０．５ｍｍ以上３．０ｍｍ以下のものが好適に使用される。また、第１の防草シートは、一つの不織布層と、もう一つの不織布層と、それらの間に介在するように配置され、一つの不織布層ともう一つの不織布層とを接続する樹脂層とから構成されていてもよい。上記については、第２の防草シートについても同様である。
【００８３】
今回開示された実施の形態はすべての点で例示であって、どのような面からも制限的なものではないと理解されるべきである。本発明の範囲は上記した意味ではなく、請求の範囲によって示され、請求の範囲と均等の意味および範囲内でのすべての変更が含まれることが意図される。
【産業上の利用可能性】
【００８４】
本開示の防草シートの設置構造および防草シートの設置方法は、防草機能を確実に果たすことができると共に、位置の調整の容易さが求められる場合において特に有利に適用される。
【符号の説明】
【００８５】
１０ａ，１０ｂ  防草シートの設置構造、１１ａ  第１の防草シート、１２ａ  第２の防草シート、１３ａ，１３ｂ，１３ｃ，１３ｄ，１３ｅ  連結シート、１４ａ  第１の不織布層、１５ａ  第１のシート層、１６ａ  第２の不織布層、１７ａ  第２のシート層、１８ａ，１８ｂ，１８ｃ，１８ｄ，１８ｅ  ベース部、１９ａ，１９ｂ，１９ｃ，１９ｄ，１９ｅ  面ファスナ部、２０ａ  地面、２１ａ，３１ａ，４１ａ  第１の面、２２ａ，３２ａ，４２ａ  第２の面、２３ａ，２４ａ，２５ａ，２６ａ，３３ａ，３４ａ，３５ａ，３６ａ，４３ａ，４４ａ，４５ａ，４６ａ，５５ａ，５５ｂ，５５ｃ，５５ｄ，５６ａ，５６ｂ，５６ｃ，５６ｄ，５７ａ，５７ｄ，５８ａ，５８ｄ，７４ａ，７４ｂ，７４ｃ，７５ａ，７５ｂ，７５ｃ  端部、５１ａ，５１ｂ，５１ｃ，５１ｄ  突起部、５２ａ，５２ｂ，５２ｃ，５２ｄ  支持部、５３ａ，５３ｂ，５３ｄ  第１の係合部、５４ａ，５４ｂ，５４ｄ  第２の係合部、６１ａ，６１ｂ  第１領域、６２ａ，６２ｂ  第２領域、７０ａ，７０ｂ，７０ｃ  杭、７１ａ，７１ｂ，７１ｃ  第１の打ち込み部、７２ａ，７２ｂ，７２ｃ  第２の打ち込み部、７３ａ，７３ｂ，７３ｃ  接続部。
【要約】
防草シートの設置構造１０ａは、不織布から構成される第１の不織布層１４ａを含み、防草機能を有する第１の防草シート１１ａと、不織布から構成される第２の不織布層１６ａ含み、防草機能を有する第２の防草シート１２ａと、シート状のベース部１８ａと、ベース部１８ａ上に設けられ、第１の不織布層１４ａおよび第２の不織布層１６ａと着脱可能な面ファスナ部１９ａと、を含む連結シート１３ａと、を備える。面ファスナ部１９ａは、第１の不織布層１４ａに装着される第１領域６１ａと、連結シート１３ａの厚さ方向に見て第１領域６１ａと隣り合って配置され、第２の不織布層１６ａに装着される第２領域６２ａと、を含む。【図１】
0006970482.tif 000002
【図２】
0006970482.tif 000003
【図３】
0006970482.tif 000004
【図４】
0006970482.tif 000005
【図５】
0006970482.tif 000006
【図６】
0006970482.tif 000007
【図７】
0006970482.tif 000008
【図８】
0006970482.tif 000009
【図９】
0006970482.tif 000010
【図１０】
0006970482.tif 000011
【図１１】
0006970482.tif 000012
【図１２】
0006970482.tif 000013
【図１３】
0006970482.tif 000014
【図１４】
0006970482.tif 000015
【図１５】
0006970482.tif 000016
【図１６】
0006970482.tif 000017
【図１７】
0006970482.tif 000018
【図１８】
0006970482.tif 000019
【図１９】
0006970482.tif 000020
【図２０】
0006970482.tif 000021
【図２１】
0006970482.tif 000022
【図２２】
0006970482.tif 000023
【図２３】
0006970482.tif 000024